(57)【要約】【課題】集水用角ますを竪樋の壁面からの出寸法に合わせて、位置調整を容易に、かつ、作業性よく行える集水用角ますの壁面取付け構造を提供する。【解決手段】角ます本体３と蓋板部１とからなる集水用角ますＡを壁面Ｗに取付ける構造であって、上記蓋板部１は角ます本体３の上面開口部３１を形成する四辺より張り出すとともに、この張り出し部分がフランジ部１１を形成し、対向するフランジ部１１が、枠体からなり壁面Ｗに固定される取付け部材２にスライド自在に係止される集水用角ますの壁面取付け構造。【選択図】図３
2007100332.tif 000002
【特許請求の範囲】
【請求項１】
角ます本体と蓋板部とからなる集水用角ますを壁面に取付ける構造であって、上記蓋板部は角ます本体の上面開口部を形成する四辺より張り出し、この張り出し部分がフランジ部を形成するとともに、対向するフランジ部が、枠体からなり壁面に固定される取付け部材にスライド自在に係止される集水用角ますの壁面取付け構造。
【請求項２】
上記対向するフランジ部が、枠体からなり壁面に固定される取付け部材の左右端部に垂設された断面コ字形の係止部にスライド自在に係止される請求項１に記載の集水用角ますの壁面取付け構造。
【請求項３】
上記蓋板部に排水管挿入口が設けられた請求項１に記載の集水用角ますの壁面取付け構造。
【請求項４】
上記角ます本体の壁面との対向面に排水管挿入口が設けられた請求項１に記載の集水用角ますの壁面取付け構造。
【発明の詳細な説明】
【技術分野】
【０００１】
本発明は、雨水を集水する角ますに関する。さらに詳しくは、建物に設けられた排水管からの雨水を集水し、竪樋に流す集水用角ますを壁面に取付ける構造に関する。
【背景技術】
【０００２】
陸屋根、ベランダ等に降りかかった雨水は、壁面を貫通する排水管を経て集水器に集められ、竪樋に送水される。このとき、集水器の底部に設けられた竪樋接続口に竪樋がぴったりと収められるように、竪樋の壁面からの出寸法と集水器の位置を調整することが求められ、下記特許文献１には、集水器が取り付けられる集水器吊り具に位置調整機能を持たせた技術が開示されている。すなわち、上記特許文献１には、その第１図に示されているように、集水器の蓋板部分を、集水器吊り具の２枚の板状体からなる保持手段でスライド自在に挟持するとともに、位置調整後、上記２枚の板状体に設けられた孔部を挿通する蝶ボルトとナットによって締め付け、集水器を保持する集水器吊り具が記載されている。
【特許文献１】特開平１０−４６７６５号公報（第１〜３頁、第１図）
【発明の開示】
【発明が解決しようとする課題】
【０００３】
しかしながら、上記特許文献１に記載の集水器吊り具は、該吊り具を構成する部品を組み付けた後位置調整を行い、さらに、蝶ボルトとナットによる固着作業を必要とするため、構成部品が多く、作業性が悪いという問題がある。本発明は、このような問題を解決して、集水用角ますの位置調整を竪樋の壁面からの出寸法に合わせて、容易に、かつ、作業性よく行うことのできる集水用角ますの壁面取付け構造を提供することを、その課題とする。
【課題を解決するための手段】
【０００４】
上記課題を解決するために、本発明においては、つぎのような技術的手段を講じている。すなわち、請求項１に記載の発明によれば、角ます本体と蓋板部とからなる集水用角ますを壁面に取付ける構造であって、上記蓋板部は角ます本体の上面開口部を形成する四辺より張り出し、この張り出し部分がフランジ部を形成するとともに、対向するフランジ部が、枠体からなり壁面に固定される取付け部材にスライド自在に係止される集水用角ますの壁面取付け構造が提供される。上記角ます本体と蓋板部とは、通常、合成樹脂の成型品が用いられる。
【０００５】
請求項２に記載の集水用角ますの壁面取付け構造は、請求項１に記載の発明に加えて、上記対向するフランジ部が、枠体からなり壁面に固定される取付け部材の左右端部に垂設された断面コ字形の係止部にスライド自在に係止される。
【０００６】
請求項３に記載の集水用角ますの壁面取付け構造は、請求項１に記載の発明に加えて、上記蓋板部に排水管挿入口が設けられる。
【０００７】
請求項４に記載の集水用角ますの壁面取付け構造は、請求項１に記載の発明に加えて、上記角ます本体の壁面との対向面に排水管挿入口が設けられる。
【発明の効果】
【０００８】
請求項１に記載の発明にかかる集水用角ますの壁面取付け構造は上記のとおりであり、該集水用角ますは、角ます本体と蓋板部とからなり、上記角ます本体の上面開口部を覆う蓋板部は開口部を形成する四辺より張り出した部分がフランジ部を形成し、対向するフランジ部が、枠体からなり壁面に固定される取付け部材にスライド自在に係止されるため、壁面に取付けられる竪樋の出寸法に合わせて、集水用角ますの壁面からの出寸法をスライド自在に調節することができる。
【０００９】
請求項２に記載の集水用角ますの壁面取付け構造は上記のとおりであり、請求項１の集水用角ますの壁面取付け構造の有する効果に加え、対向するフランジ部が、枠体からなり壁面に固定される取付け部材の左右端部に垂設された断面コ字形の係止部にスライド自在に係止されるため、上記フランジ部の係止部への挿入長さを加減することにより、集水用角ますの壁面からの出寸法を簡単に、精度よく調節することができる。
【００１０】
請求項３に記載の集水用角ますの壁面取付け構造は上記のとおりであり、請求項１の集水用角ますの壁面取付け構造の有する効果に加え、上記蓋板部に排水管挿入口を設けることにより、集水用角ますの上方に排水管が位置する場合でも、エルボ等を延設して上記排水管挿入口に挿入し、雨水を一旦、集水用角ますに集めた後、竪樋にスムースに送水することができる。
【００１１】
請求項４に記載の集水用角ますの壁面取付け構造は上記のとおりであり、請求項１の集水用角ますの壁面取付け構造の有する効果に加え、角ます本体の壁面との対向面に排水管挿入口が設けられているため、壁面から突出する排水管を上記排水管挿入口に挿入することにより、雨水を一旦、集水用角ますに集めた後、竪樋にスムースに送水することができる。
【発明を実施するための最良の形態】
【００１２】
以下、本発明にかかる集水用角ますの壁面取付け構造の実施形態について、図面を参照して詳細に説明する。図１は、角ます本体３に設けられた上面開口部３１を蓋板部１で覆い、本発明にかかる集水用角ますを形成する状態を示す説明図である。図１に示されているように、上面開口部３１を形成する四辺は鍔部３２とされ、蓋板部１の裏面の上記鍔部３２に相当する位置に設けられた図外係合部は、蓋板部１を矢印の方向に押圧することにより、鍔部３２と弾性係合して集水用角ますが形成される。
【００１３】
図２は、上記角ます本体３と蓋板部１とからなる集水用角ますＡを枠体からなる取付け部材２へ取付ける実施態様を示す説明図である。図２に示すように、角ます本体３は、その上面開口部３１が蓋板部１で覆われるが、このとき、図１に示すように、蓋板部１は、角ます本体３の上面開口部３１よりやや大きめに形成されているため、蓋板部１を装着したとき、角ます本体３の上面開口部３１を形成する四辺より張り出した部分はフランジ部１１を形成する。
【００１４】
図２に示されているように、対向するフランジ部１１は、枠体からなる取付け部材２の左右端部に垂設された断面コ字形の係止部２１に矢印で示すように挿入され、係止される。上記取付け部材２は、固定用ビスＸで壁面に固定されるため、集水用角ますＡの壁面からの出寸法は、フランジ部１１の係止部２１への挿入長さを加減することにより、調節される。
【００１５】
図３は、上記のように構成された集水用角ますの壁面取付け構造の出寸法を調節した状態を示す側面図である。図３に示されているように、竪樋４は控え金具５によって壁面Ｗに固定されるとともに、その出寸法が決められる。一方、上記取付け部材２は固定用ビスＸで壁面Ｗに固定され、集水用角ますＡの壁面Ｗからの出寸法は、対向するフランジ部１１を上記取付け部材２の左右端部に垂設された断面コ字形の係止部２１へ挿入する長さを加減することにより、調節される。このようにして、角ます本体３の底面に穿たれた図示しない竪樋挿入口と竪樋４の端部との位置合わせを行い、上記図外竪樋挿入口に竪樋４の端部を挿入し、シーリング材、接着剤等を用いて固定することにより、竪樋４を角ます本体３にしっかりと接続することができる。
【００１６】
図４は、集水用角ますＡの上方に排水管６が位置する場合の本発明にかかる集水用角ますの壁面取付け構造の実施例を示す側面図である。図４に示すように、蓋板部１には排水管挿入口１２が設けられ、上記のようにして竪樋４と位置合わせを行い、出寸法を調節して壁面Ｗに取付けられた集水用角ますＡの上記排水管挿入口１２に、排水管６に延設されたエルボ７が挿入される。
【００１７】
図５は、集水用角ますＡの側面に排水管６が位置する場合の本発明にかかる集水用角ますの壁面取付け構造の実施例を示す側面図である。図５に示すように、角ます本体３の壁面Ｗとの対向面には、排水管６が挿入される排水管挿入口３３が設けられ、上記のようにして竪樋４と位置合わせを行い、出寸法を調節して壁面Ｗに取付けられた集水用角ますＡの上記排水管挿入口３３には排水管６が挿入される。図４、図５に示すように、いずれの形態においても、陸屋根、ベランダ等に降りかかった雨水は、壁面Ｗを貫通する排水管６を経て本発明にかかる集水用角ますＡに集められ、竪樋４にスムースに送水されることが明らかである。
【図面の簡単な説明】
【００１８】
【図１】角ます本体と蓋板部とから本発明にかかる集水用角ますを形成する状態を示す説明図である。
【図２】本発明にかかる集水用角ますを取付け部材へ取付ける実施態様を示す説明図である。
【図３】本発明にかかる集水用角ますの壁面取付け構造の出寸法を調節した状態を示す側面図である。
【図４】集水用角ますの上方に排水管が位置する場合の本発明にかかる集水用角ますの壁面取付け構造の実施例を示す側面図である。
【図５】集水用角ますの側面に排水管が位置する場合の本発明にかかる集水用角ますの壁面取付け構造の実施例を示す側面図である。
【符号の説明】
【００１９】
Ａ          本発明にかかる集水用角ます
１          蓋板部
１１        フランジ部
１２        排水管挿入口
２          取付け部材
２１        係止部
３          角ます本体
３１        上面開口部
３２        鍔部
３３        排水管挿入口
４          竪樋
５          控え金具
６          排水管
７          エルボ
Ｘ          固定用ビス
Ｗ          壁面
【図１】
2007100332.tif 000003
【図２】
2007100332.tif 000004
【図３】
2007100332.tif 000005
【図４】
2007100332.tif 000006
【図５】
2007100332.tif 000007